(57)【要約】【課題】予めに登録された個人の生体情報に対して生体情報の照合を行って個人を認証する機能をもち、例えば食品工場などで、作業者の手指洗浄の遂行履歴データを取得することが可能な個人認証つき手指洗浄システムを得ることを目的とする。【解決手段】任意の個人の生体情報を取得する機能を有する生体情報取得手段３と、液噴射手段５ａ〜５ｃと手指を検知するセンサ６ａ〜６ｃを有する洗浄器と、複数の認証比較情報と洗浄器の洗浄条件とが登録される事前情報記録手段１０、カウンタ１２、任意の個人の生体情報と複数の認証比較情報とを照合することによって個人を認証し、洗浄条件に基づいて手指洗浄の遂行がなされたかを判断する制御手段９および制御手段９による判断の結果が、認証された個人に対応するＩＤ番号に関連付けされて書き込まれる履歴記録手段１１、を有する制御装置本体部２と、を備えている。【選択図】図１
2007115029.tif 000002
【特許請求の範囲】
【請求項１】
予め個人に対応するＩＤ番号に関連付けして登録された生体情報に基づいて、手指洗浄時に任意の個人の認証処理を行い、認証された上記個人の手指洗浄の遂行履歴データを取得する機能を有する個人認証つき手指洗浄システムであって、
上記任意の個人の生体情報を取得する機能を有する生体情報取得手段と、
液噴射手段と上記液噴射手段に設けられた液噴射口から噴射される液の噴射方向近傍に手指が差し込まれたときに手指を検知するセンサを有する洗浄器と、
上記生体情報取得手段で取得される上記個人の上記生体情報が上記個人に対応する上記ＩＤ番号に関連付けされた複数の認証比較情報と上記洗浄器の洗浄条件とが登録される事前情報記録手段、カウンタ、上記生体情報取得手段で上記任意の個人の生体情報が取得されたときに、複数の上記認証比較情報と照合することによって上記個人を認証し、上記センサによる手指の検知に連動して上記液噴射口からの液の噴射を制御すると同時に上記カウンタを制御し、上記カウンタからの情報を監視して上記洗浄条件に基づいて手指洗浄の遂行がなされたかを判断する制御手段および上記制御手段による手指洗浄の遂行がなされたかの判断の結果が、認証された上記個人に対応する上記ＩＤ番号に関連付けされて書き込まれる履歴記録手段、を有する制御装置本体部と、
を備えることを特徴とする個人認証つき手指洗浄システム。
【請求項２】
上記洗浄条件は、上記液噴射口からの液噴射の継続時間を規定する噴射継続時間と手指洗浄が完全に遂行されたかの判断基準に使用される制御停止時間であって、上記制御手段は上記センサによる手指の検知に連動して上記液噴射口から液を噴射させるとともに上記カウンタを開始して液噴射時間を監視し、上記液噴射時間が上記噴射継続時間以上に経過した場合は手指洗浄が完全に遂行されたと判断し、また、上記制御手段は、洗浄動作開始時または上記センサが手指を検知した状態から検知しなくなった状態になったときにカウンタの動作を開始して中断時間を監視し、中断時間が制御停止時間以上に経過したときには手指洗浄の遂行が不完全であったと判断することを特徴とする請求項１に記載の個人認証つき手指洗浄システム。
【請求項３】
上記洗浄条件を任意に上記履歴記録手段に書き込むことができる設定登録手段を備えていることを特徴とする請求項１または請求項２に記載の個人認証つき手指洗浄システム。
【発明の詳細な説明】
【技術分野】
【０００１】
この発明は、生体情報の照合による個人を認証する機能を有する個人認証つき手指洗浄システムに関するものであり、特に食品工場や飲食店などで、作業者の手指洗浄の遂行履歴データを取得することが可能な個人認証つき手指洗浄システムに関するものである。
【背景技術】
【０００２】
従来の手指消毒器は、本体ケースと、本体ケースの上部に内蔵される赤外線発光素子と赤外線受光素子とからなる赤外線センサと、制御装置と、薬液タンクと、ポンプとを備えている。
本体ケースには開口部が設けられて、開口部の上部には薬液噴射口が設置されている。また、ポンプは、薬液タンクおよび薬液噴出口とパイプを介して接続されており、ポンプが作動すると薬液タンクから消毒薬液を吸い上げ、薬液噴出口から消毒薬液が噴出される。
【０００３】
開口部には、赤外線発光素子から、常時赤外線光が照射されており、開口部に手指が差し込まれたときには、赤外線受光素子は手指で反射された赤外線の反射光を検出して、検出信号を制御装置に出力する。制御装置は、赤外線センサからの検出信号を解析して、手指が開口部に差し込まれたと判断すると、制御信号を出力してポンプを作動させ、消毒薬液を薬液噴射口から一定時間噴射する。これにより、手指の消毒が行われていた（例えば、特許文献１参照）。
【０００４】
【特許文献１】特開２０００−６０７６４号公報
【発明の開示】
【発明が解決しようとする課題】
【０００５】
例えば、食品工場や飲食店などでは手指の汚染に由来する食中毒を防ぐために、作業前、作業中の手洗いや、消毒、手袋着用などが、食品衛生法により義務付けられている。
従来の手指消毒器は、個人を特定するための個人認証機能が無いため、誰が手指の消毒をしたかの記録を確実に残すことはできない。特に、多くの作業者を雇用する食品工場などでは、作業者全員が日々行う洗浄消毒の遂行の有無を完全に把握するのは困難となる。
【０００６】
この発明は、上記の課題を解決するためになされたものであり、予め登録された個人の生体情報に対して任意の個人の生体情報の照合を行って個人を認証する機能をもち、例えば食品工場などで、作業者の手指洗浄の遂行履歴データを取得できる個人認証つき手指洗浄システムを得ることを目的とする。
【課題を解決するための手段】
【０００７】
この発明による個人認証つき手指洗浄システムは、任意の個人の生体情報を取得する機能を有する生体情報取得手段と、液噴射手段と上記液噴射手段に設けられた液噴射口から噴射される液の噴射方向近傍に手指が差し込まれたときに手指を検知するセンサを有する洗浄器と、上記生体情報取得手段で取得される上記個人の上記生体情報が上記個人に対応する上記ＩＤ番号に関連付けされた複数の認証比較情報と上記洗浄器の洗浄条件とが登録される事前情報記録手段、カウンタ、上記生体情報取得手段で上記任意の個人の生体情報が取得されたときに、複数の上記認証比較情報と照合することによって上記個人を認証し、上記センサによる手指の検知に連動して上記液噴射口からの液の噴射を制御すると同時に上記カウンタを制御し、上記カウンタからの情報を監視して上記洗浄条件に基づいて手指洗浄の遂行がなされたかを判断する制御手段および上記制御手段による手指洗浄の遂行がなされたかの判断の結果が、認証された上記個人に対応する上記ＩＤ番号に関連付けされて書き込まれる履歴記録手段、を有する制御装置本体部と、を備えている。
【発明の効果】
【０００８】
この発明によれば、制御手段は、予め事前情報記録手段（第１のメモリ）に登録された複数の認証比較情報と生体情報取得手段で取得される任意の個人の生体情報とを照合し、合致する生体情報を検知することによって個人を認証することができる。
また、制御手段は、カウンタ、センサの情報を監視することによって、認証された個人が洗浄器の洗浄条件に対して手指洗浄を完全に遂行したか否かの判断を行うことができるので、手指洗浄が完全に遂行されたのか不完全であったのかの履歴データを認証された個人のＩＤ番号に関連付けさせて、履歴記録手段（第２のメモリ）に保存させることができる。また、必要に応じて手指洗浄の遂行履歴データの確認を行うことができる。
【発明を実施するための最良の形態】
【０００９】
以下、この発明を実施するための最良の形態について、図面を参照しつつ説明する。
図１はこの発明に係る個人認証つき手指洗浄システムの構成を示す説明図、図２はこの発明に係る個人認証つき手指洗浄システムにおいて、利用者のそれぞれに割り振られたＩＤ番号に関連付けさせて指紋データを登録する動作を説明するためのフロー図、図３はこの発明に係る個人認証つき手指洗浄システムの洗浄器の洗浄条件を設定する動作を説明するためのフロー図、図４〜図６はこの発明に係る個人認証つき手指洗浄システムにおいて、作業者が行う手指洗浄の動作と、手指洗浄の遂行履歴データの取得方法を説明するためのフロー図である。
【００１０】
この発明に係る個人認証つき手指洗浄システムは、洗浄器１、制御装置本体部２および生体情報取得手段３によって構成される。
【００１１】
洗浄器１は、洗剤液噴射手段５ａ、水噴射手段５ｂ、消毒液噴射手段５ｃ、センサとしての第１のセンサ６ａ〜第３のセンサ６ｃ、スピーカ８、洗剤液タンク（図示せず）、水タンク（図示せず）および消毒液タンク（図示せず）を有している。
ここで、洗剤液噴射手段５ａ、水噴射手段５ｂ、消毒液噴射手段５ｃのそれぞれを液噴射手段と定義する。
洗剤液噴射手段５ａは、洗剤液タンクにパイプ（図示せず）を介して接続され、洗剤液噴射手段５ａに設けられた洗剤液噴射口７ａから洗剤液の噴射が可能となっている。また、洗剤液噴射手段５ａには、洗剤液の噴射が可能な開弁状態と噴射が不能な閉弁状態との切換えを電気的に行うことができる電磁切換弁（図示せず）が設けられている。
水噴射手段５ｂは、水タンクにパイプを介して接続されて、水噴射手段５ｂに設けられた水噴射口７ｂから、水の噴射が可能となっている。また、水噴射手段５ｂには、水の噴射が可能な開弁状態と噴射が不能な閉弁状態との切換えを電気的に行うことができる電磁切換弁（図示せず）が設けられている。
【００１２】
消毒液噴射手段５ｃは消毒液タンクにパイプを介して接続されて、消毒液噴射手段５ｃに設けられた消毒液噴射口７ｃから、消毒液の噴射が可能となっている。また、消毒液噴射手段５ｃには、消毒液の噴射が可能な開弁状態と消毒液の噴射が不能な閉弁状態との切換えを電気的に行うことができる電磁切換弁（図示せず）が設けられている。
【００１３】
さらに、第１のセンサ６ａ〜第３のセンサ６ｃが洗剤液噴射口７ａ、水噴射口７ｂ、消毒液噴射口７ｃの液噴射方向の近傍にそれぞれ設けられて、洗剤液噴射口７ａ、水噴射口７ｂ、消毒液噴射口７ｃの何れかの液噴射方向に手指を近づけたときに検知するようになっている。ここで、洗剤液噴射口７ａ、水噴射口７ｂ、消毒液噴射口７ｃのそれぞれを液噴射口と定義するとともに液噴射口から噴射される洗剤液、水、消毒液のそれぞれを液と定義する。また、手指を検知したときに第１のセンサ６ａ〜第３のセンサ６ｃはＯＮであり、検知していないときをＯＦＦとする。さらに、洗浄器１には、スピーカ８が配設され、後述の制御手段９によって制御されて、所望のアナウンスを流すことが出来る。
【００１４】
生体情報取得手段３は、例えば非接触型の紋像読取装置１５、第１のディスプレイ１６およびテンキー１７などで構成される。
制御装置本体部２は、制御手段９、事前情報記録手段としての第１のメモリ１０、履歴記録手段としての第２のメモリ１１、カウンタ１２および制御装置本体部２の内部と外部との間のデータのやりとりを媒介する通信手段１３を有している。
第１のメモリ１０は、データの読み出しおよび書き込みが可能なＲＡＭまたはハードディスクなどを用いることができる。
第２のメモリ１１は、データの読み出しおよび書き込みが可能なＲＡＭまたはハードディスクなどを用いることができる。
【００１５】
制御手段９は、ＣＰＵ、第３のメモリ１４としてのＲＡＭおよび制御プログラムが書き込まれたＲＯＭなどが備えられて、データ処理やデータの送受信などを行うとともに、後述するように洗浄器１における電磁弁の開閉、生体情報取得手段３の第１のディスプレイ１６の表示内容などの制御を行うことができる。
【００１６】
次に、各構成の主な接続状態について説明する。
制御手段９は、第１のメモリ１０、第２のメモリ１１、カウンタ１２に電気的に接続されている。また、制御手段９は、通信手段１３を介して洗浄器１の洗剤液噴射手段５ａ、水噴射手段５ｂ、消毒液噴射手段５ｃ、第１のセンサ６ａ〜第３のセンサ６ｃ、スピーカ８、生体情報取得手段３に電気的に接続されている。
【００１７】
このように構成された個人認証つき手指洗浄システムにおいて、制御手段９は、第１のメモリ１０および第２のメモリ１１に対してデータの書き込みと読み込みを任意に行うことができる。また、制御手段９では、第１のセンサ６ａ〜第３のセンサ６ｃのＯＮまたはＯＦＦを検知することができる。制御手段９は、第１のセンサ６ａ〜第３のセンサ６ｃのＯＮまたはＯＦＦの検知に対応させて、洗剤液噴射手段５ａ、水噴射手段５ｂ、消毒液噴射手段５ｃのそれぞれに設けられた電磁切替弁の開閉制御を行うことができる。
【００１８】
また、制御手段９は、スピーカ８を制御して所望のアナウンスを流すことができる。例えば、「洗剤液噴射口７ａの下部に手指を挿入してください。」などのアナウンスをすることによって、個人認証つき手指洗浄システムの利用者に手指洗浄を促すことができる。
さらに、カウンタ１２は、制御手段９からの制御信号によってカウントが開始される。例えば、制御手段９が第１のセンサ６ａのＯＮの検知と洗剤液噴射口７ａからの洗剤液の噴射を連動させ、同時にカウンタ１２の動作を開始させることによって、第１のセンサ６ａのＯＮの継続時間がそのまま洗剤液噴射口７ａからの洗剤液噴射時間としてカウントされる。
【００１９】
同様に、第２のセンサ６ｂまたは第３のセンサ６ｃによるＯＮの検知と水噴射口７ｂからの水の噴射または消毒液噴射口７ｃからの消毒液の噴射を連動させ、同時にカウンタ１２の動作を開始させれば、水噴射時間または消毒液噴射時間をカウントすることができる。ここで、洗剤液噴射時間、水噴射時間および消毒液噴射時間のそれぞれを液噴射時間と定義する。
また、カウンタ１２によってカウントされる時間の情報は、制御手段９で監視される。さらに、カウンタ１２は複数の状態をカウントできるようになっており、他の状態をカウントしたいときにも、制御手段９からの制御によってカウントを始めることもできる。
【００２０】
また、生体情報取得手段３では、個人のＩＤ番号の登録が行われ、登録したＩＤ番号に対して生体情報としての指紋データを取得することができる。取得したＩＤ番号と指紋データは制御手段９で関連付けされて、第１のメモリ１０に書き込まれる。以下、その動作について説明する。
生体情報取得手段３の第１のディスプレイ１６への表示内容は、制御手段９によって制御される。制御手段９は、個人認証つき手指洗浄システムの利用者に、ＩＤ番号の登録を促す表示を第１のディスプレイ１６に表示させることができる。利用者が、テンキー１７を操作して、各個人に対応したＩＤ番号を打ち込むと、ＩＤ番号データが第３のメモリ１４に書き込まれる。
【００２１】
ＩＤ番号データが第３のメモリ１４に書き込まれると、制御手段９は第１のディスプレイ１６に対してＩＤ番号を表示させ、個人の指紋データの取得を促すようになっている。そして、非接触型の紋像読取装置１５によって、個人の指紋データが取得されると、取得された指紋データは、第３のメモリ１４に書き込まれる。制御手段９は、ＩＤ番号と指紋データとを関連付けさせて、第１のメモリ１０への書き込みを行い登録する。個人認証つき手指洗浄システムの利用者全員に対して指紋データを取得して、ＩＤ番号と関連付けさせて指紋データを第１のメモリ１０に登録することが可能であり、第１のメモリ１０にはＩＤ番号に関連付けされた指紋データのデータベースが構築される。ここで、ＩＤ番号と関連付けされた指紋データを認証比較情報と定義する。また、非接触型の紋像読取装置１５を使用して指紋を取得することにより、細菌などが装置を介して他人に移る可能性を排除できる。
【００２２】
また、制御手段９は、第１のディスプレイ１６に任意の個人の指紋データの取得を促すこともでき、紋像読取装置１５で取得した任意の個人の指紋データは第３のメモリ１４に書き込まれるようになっている。
したがって、生体情報取得手段３で取得される任意の個人の指紋データを、予め第１のメモリ１０にデータベース化されて複数登録されている認証比較情報と照合することによって個人の認証を行うことが可能となる。また、個人が認証されたならば、制御手段９は、個人に対応するＩＤ番号を第２のメモリ１１に書き込むようになっている。
【００２３】
第１のメモリには予め、後述する洗浄時間、すすぎ時間、消毒時間および制御停止時間が登録されている。ここで、洗浄時間、すすぎ時間、消毒時間および制御停止時間を洗浄条件と定義する。さらに、洗浄条件のうち、洗浄時間、すすぎ時間、消毒時間を噴射継続時間と定義する。洗浄条件は、主に個人認証つき手指洗浄システムの管理者によって登録されるものである。
【００２４】
噴射継続時間について説明する。噴射継続時間は、洗剤液噴射口７ａ、水噴射口７ｂ、消毒液噴射口７ｃの液噴射方向の近傍にそれぞれ設けられた第１のセンサ６ａ〜第３のセンサ６ｃのいずれかがＯＮであると制御手段９が判断したときに、ＯＮであると判断された第１のセンサ６ａ〜第３のセンサ６ｃのいずれかに対応する洗剤液噴射口７ａ、水噴射口７ｂ、消毒液噴射口７ｃから洗剤液、水、消毒液を噴射する際の継続時間を規定するためのデータである。
【００２５】
次に、制御停止時間について説明する。例えば第１のセンサ６ａが一旦ＯＮすると、制御手段９は、ＯＮした第１のセンサ６ａに対応させて洗剤液を洗剤液噴射口７ａから噴射させる。ここで制御手段９は、ＯＮした第１のセンサ６ａがＯＦＦになったと判断すると、中断時間カウンタとしてカウンタ１２を動作させて中断時間をカウントする。制御手段９が、中断時間を監視し、中断時間が制御停止時間以上に経過したと判断すると、洗剤液洗浄が不完全であったとの判断を下す。
【００２６】
また、第１のセンサ６ａがＯＮとなる前でも、例えば洗浄動作の最初に、スピーカ８によって洗浄を促すと同時に中断時間カウンタとしてのカウンタ１２を動作させて中断時間をカウントし、第１のセンサ６ａがＯＦＦのまま、中断時間が制御停止時間以上に経過したときは、制御手段９が、洗剤液洗浄が不完全であったとの判断を下す。このように、制御停止時間は、洗剤液洗浄が完全に遂行されたかの判断基準として使用される。
同様に、制御停止時間は、水によるすすぎ洗浄や消毒液洗浄が完全に遂行されたかの判断基準として使用される。
ここで、液噴射手段５ａ〜５ｃによる洗浄過程において、スピーカ８などによって、最初に洗浄を促した時間を洗浄動作開始時とする。
【００２７】
また、予め第１のメモリ１０に洗浄条件が登録されていない場合や、変更したい場合は、制御手段９および第１のメモリ１０に通信手段１３を介して接続され、第２のディスプレイ１８およびキーボード１９などを備える設定登録手段４を操作して洗浄条件を登録または変更することができる。制御手段９は、設定登録手段４の第２のディスプレイ１８の表示内容を制御して、洗浄条件の登録または変更を促す表示をさせることができる。そして個人認証つき手指洗浄システムの管理者がキーボード１９を操作して洗浄条件の設定を行うと、洗浄条件は第１のメモリ１０に書き込まれるようになっている。
【００２８】
上記のように、制御手段９は、カウンタ１２、第１のセンサ６ａ〜第３のセンサ６ｃの情報を監視することによって、洗浄器１の洗浄条件に対して、認証された個人が手指洗浄を完全に遂行したかどうかの判断を行うことができる。さらに、制御手段９は、手指洗浄が完全に遂行されたのか不完全であったのかの履歴データを、認証された個人に対応するＩＤ番号に関連付けして第２のメモリ１１に保存できる。
個人認証つき手指洗浄システムの利用者全員に対して、手指洗浄の遂行が完全であった人や、不完全だった人の履歴データを、認証された個人に対応するＩＤ番号に関連付けして残すことができ、必要に応じて手指洗浄の履歴データの確認を行うことが可能となる。
【００２９】
次に、上記のように構成された個人認証つき手指洗浄システムの動作について図２〜図４のフロー図を参照しつつ説明する。なお、図２〜図４中、本文中のステップ１０１〜３４６を便宜上Ｓ１０１〜Ｓ３４６と記す。
【００３０】
例えば、食品工場などの作業者が、個人認証つき手指洗浄システムを利用するものとする。
まず、図２において作業者のそれぞれに割り振られたＩＤ番号に関連付けさせて指紋データを第１のメモリ１０に登録する動作を説明する。
ステップ１０１において、制御手段９は、第１のディスプレイ１６に、ＩＤ番号の登録を個人認証つき手指洗浄システムの利用者（作業者）に促すように表示する。予め利用者のそれぞれに割り振られているＩＤ番号をテンキー１７の操作を行って入力すると、ＩＤ番号は制御手段９の第３のメモリ１４に書き込まれる（ステップ１０２）。
【００３１】
次に、制御手段９は、ＩＤ番号を入力した利用者に対して、第１のディスプレイ１６に、例えば利用者の人差し指の指紋データを採取することを促す表示をさせる（ステップ１０３）。利用者に紋像読取装置１５によって指紋を読み取らせると、指紋データは第３のメモリ１４に書き込まれる（ステップ１０４）。制御手段９は、読み取ったＩＤ番号と指紋データを関連付けし、ＩＤ番号に関連付けした指紋データを第１のメモリ１０に書き込む（ステップ１０５）。
【００３２】
個人認証つき手指洗浄システムを利用する作業者全員が、ステップ１０１〜ステップ１０５を行うことにより、第１のメモリ１０には、作業者全員のＩＤ番号に関連付けされた指紋データ（認証比較情報）がデータベース化されて登録される。
【００３３】
次に、洗浄時間、すすぎ時間、消毒時間および制御停止時間の設定と登録について、図３を参照しつつ説明する。
制御手段９は、個人認証つき手指認証装置の管理者に第２のディスプレイ１８を用いて、洗浄時間、すすぎ時間、消毒時間を設定するように促す（ステップ２０１）。管理者は、キーボード１９を操作して、所望の洗浄時間を設定する（ステップ２０２）、次に所望のすすぎ時間を設定する（ステップ２０３）。次に所望の消毒時間を設定する（ステップ２０４）。次に所望の制御停止時間を設定する（ステップ２０５）。例えば、洗浄時間、すすぎ時間、消毒時間および制御停止時間のそれぞれを、１０秒、２０秒、２０秒およびに３０秒に設定することができる。
そして、設定された洗浄時間、すすぎ時間、消毒時間および制御停止時間のデータは、第１のメモリ１０に書きこまれる（ステップ２０６）。
【００３４】
次に、作業者が洗剤液洗浄、すすぎ洗浄、消毒液洗浄を行うときの動作および手指洗浄の遂行履歴データの取得フローについて、図４を参照しつつ説明する。
まず、制御手段９は第１のディスプレイ１６に、作業者に対して、指紋データを取得することを促す表示をさせる（ステップ３０１）。
作業者は、ステップ１０４で読み取らせたのと同じ指の指紋を紋像読取装置１５に読み取らせる（ステップ３０２）。取得された指紋データは、制御手段９に送られて第３のメモリ１４に書き込まれる（ステップ３０３）。制御手段９は、第１のメモリ１０に予め書き込まれている認証比較情報とステップ３０２で取得した指紋データとの照合を行い、合致するものが有るか否かを判断する（ステップ３０４）。
【００３５】
認証比較情報の中に取得した指紋データと合致するデータが無い場合は、制御手段９は、第１のディスプレイ１６に、「合致するデータがありません、管理者に連絡してください」等を表示させて利用者に、個人認証つき手指洗浄システムの管理者へ連絡することを促し（ステップ３０５）、制御手段９は、制御を停止する。
認証比較情報の中に取得した指紋データと合致するデータがあり、個人認証がなされた場合は、制御手段９は、認証した個人に対応するＩＤ番号を第２のメモリ１１へ書き込む（ステップ３０６）。
【００３６】
次に制御手段はスピーカ８から、「洗剤液噴射口７ａの下部に手指を挿入してください」のアナウンスを流し、中断時間カウンタのカウントを開始する（ステップ３０７）。
次に、制御手段９は第１のセンサ６ａがＯＮしたかどうかの判断を行う（ステップ３０８）。
ステップ３０８で、第１のセンサ６ａがＯＮされていないと判断したら、制御手段９は中断時間が設定した制御停止時間以上に経過したかの判断を行う（ステップ３０９）。
ステップ３０９で中断時間が制御停止時間以上経過したと判断された場合、制御手段９は、ＩＤ番号に対応させて、洗剤洗浄不完全の履歴データを第２のメモリ１１に書き込み、制御を停止する（ステップ３１０）。
ステップ３０９で中断時間が制御停止時間以上に経過していないと判断された場合、ステップ３０８に戻る。
【００３７】
ステップ３０８で、制御手段９が、第１のセンサ６ａはＯＮしたと判断したら、洗剤液を適量噴射して、カウンタ１２を開始させて洗剤液噴射時間のカウントを監視するとともに、中断時間カウントをリセットする（ステップ３１１）。
次に、制御手段９は第１のセンサ６ａがＯＮしているかの判断を行う（ステップ３１２）。ステップ３１２で制御手段９が、第１のセンサ６ａはＯＮであると判断した場合は、ステップ３１８へ進む。
ステップ３１２で制御手段９が、第１のセンサ６ａはＯＮでないと判断した場合は、中断時間カウントを開始し、洗剤液噴射時間のカウントを一時停止する（ステップ３１３）。
次に、制御手段９は、中断時間が制御停止時間以上経過したかを判断する（ステップ３１４）。
【００３８】
ステップ３１４で中断時間が制御停止時間以上に経過していると判断された場合、制御手段９は、ＩＤ番号とともに、洗剤洗浄不完全の履歴データを第２のメモリ１１に書き込み、制御を停止する（ステップ３１５）。ステップ３１４で中断時間が制御停止時間上に経過していないと判断された場合、ステップ３１６へ進む。
ステップ３１６で、制御手段９は第１のセンサ６ａがＯＮしたかを判断する。
ステップ３１６で、制御手段９は第１のセンサ６ａがＯＮしていないと判断した場合、ステップ３１４に戻る。また、ステップ３１６で制御手段９は、第１のセンサ６ａがＯＮしたと判断した場合、中断時間カウントをリセットするとともに洗剤液噴射時間カウントを再開し（ステップ３１７）、ステップ３１８へ進む。
ステップ３１８で、制御手段９は、洗剤液噴射時間が設定した洗浄時間以上に経過したかを判断する。ステップ３１８で、洗剤液噴射時間が洗浄時間より経過していないと判断された場合、ステップ３１２に戻る。
【００３９】
ステップ３１８で、制御手段９が、洗剤液噴射時間が洗浄時間以上に経過したと判断した場合、洗剤液の噴射を停止する（ステップ３１９）。そして、制御手段９は、スピーカ８を作動させて、「水噴射口７ｂの下に手を移してください」のアナウンスを行い、カウンタ１２を動作させて中断時間のカウントを開始する（ステップ３２０）。
【００４０】
次に、制御手段９は水噴射口７ｂの下方に設けられた第２のセンサ６ｂがＯＮしたかの判断を行う（ステップ３２１）。
ステップ３２１で、第２のセンサ６ｂがＯＮしていないと判断された場合、制御手段９は中断時間が設定した制御停止時間以上に経過したかの判断を行う（ステップ３２２）。
ステップ３２２で中断時間が制御停止時間以上経過したと判断された場合、制御手段９は、ＩＤ番号に対応させて、水によるすすぎ洗浄不完全の履歴データを第２のメモリ１１に書き込み、制御を停止する（ステップ３２３）。
ステップ３２２で中断時間が制御停止時間以上に経過していないと判断された場合、ステップ３２１に戻る。
【００４１】
ステップ３２１で、制御手段９が第２のセンサ６ｂがＯＮしたと判断したら、水を適量噴射して、カウンタ１２を動作させて水噴射時間のカウントを開始するとともに、中断時間カウントをリセットする（ステップ３２４）。
次に、制御手段９は第２のセンサ６ｂがＯＮしているかの判断を行う（ステップ３２５）。ステップ３２５で制御手段９が、第２のセンサ６ｂがＯＮしていると判断した場合は、ステップ３３１へ進む。
ステップ３２５で制御手段９が、第２のセンサ６ｂはＯＮしていないと判断した場合は、カウンタ１２を動作させて中断時間カウントを開始し、水噴射時間カウントを停止する（ステップ３２６）。
次に、制御手段９は、中断時間が、制御停止時間以上経過したかを判断する（ステップ３２７）。
ステップ３２７で中断時間が制御停止時間以上に経過したと判断された場合、制御手段９は、ＩＤ番号に対応させて、すすぎ洗浄不完全の履歴データを第２のメモリ１１に書き込み、制御を停止する（ステップ３２８）。ステップ３２７で中断時間が制御停止時間上に経過していないと判断された場合、ステップ３２９へ進む。
ステップ３２９では、制御手段９は、第２のセンサ６ｂがＯＮであるかを判断する。
ステップ３２９で、第２のセンサ６ｂがＯＮでないと判断された場合、ステップ３２７に戻る。また、ステップ３２９で、第２のセンサ６ｂがＯＮであると判断された場合、制御手段９は、中断時間カウントをリセットするとともに水噴射時間カウントを再開し（ステップ３３０）、ステップ３３１へ進む。
ステップ３３１で、制御手段９は、水噴射時間が設定したすすぎ時間以上経過したかを判断する。ステップ３３１で、水噴射時間がすすぎ時間以上に経過していないと判断された場合、ステップ３２５に戻る。
【００４２】
ステップ３３１で、水噴射時間が、すすぎ時間以上に経過したと判断した場合、制御手段９は水の噴射を停止する（ステップ３３２）。そして、制御手段９は、スピーカ８を作動させて、「消毒液噴射口７ｃの下に手を移してください」のアナウンスを行い、中断時間のカウントを開始する（ステップ３３３）。
【００４３】
次に、制御手段９は、消毒液噴射口７ｃの下方に設けられた第３のセンサ６ｃがＯＮしたかの判断を行う（ステップ３３４）。
ステップ３３４で、第３のセンサ６ｃがＯＮしていないと判断されたら、制御手段９は中断時間が設定した制御停止時間以上に経過したかの判断を行う（ステップ３３５）。
ステップ３３５で中断時間が制御停止時間以上経過したと判断された場合、制御手段９は、ＩＤ番号に対応させて、消毒液による消毒液洗浄不完全の履歴データを第２のメモリ１１に書き込み、制御を停止する（ステップ３３６）。
ステップ３３５で中断時間が制御停止時間以上に経過していないと判断された場合、ステップ３３４に戻る。
【００４４】
ステップ３３４で、制御手段９が第３のセンサ６ｃがＯＮされていると判断したら、消毒液を適量噴射して、カウンタ１２を動作させて消毒液噴射時間のカウントを開始するとともに、中断時間カウントをリセットする（ステップ３３７）。
次に、制御手段９は第３のセンサ６ｃがＯＮであるかどうかの判断を行う（ステップ３３８）。ステップ３３８で制御手段９が、第３のセンサ６ｃがＯＮであると判断した場合は、ステップ３４４へ進む。
ステップ３３８で制御手段９が、第３のセンサ６ｃはＯＮでないと判断した場合は、中断時間カウントを開始し、消毒液噴射時間カウントを一時停止する（ステップ３３９）。
次に、制御手段９は、中断時間が、制御停止時間以上経過したかを判断する（ステップ３４０）。
ステップ３４０で中断時間が制御停止時間以上に経過したと判断された場合、制御手段９は、ＩＤ番号に対応させて、消毒液洗浄不完全の履歴データを第２のメモリ１１に書き込み、制御を停止する（ステップ３４１）。ステップ３４０で中断時間が制御停止時間上に経過していないと判断された場合、ステップ３４２へ進む。
ステップ３４２では、制御手段９は、第３のセンサ６ｃがＯＮしたかのの判断をする。
ステップ３４２で第３のセンサ６ｃがＯＮしていないと判断された場合、ステップ３４０に戻る。
ステップ３４２で第３のセンサ６ｃがＯＮしたと判断された場合、中断時間カウントをリセットするとともに消毒液噴射時間カウントを再開し（ステップ３４３）、ステップ３４４へ進む。
ステップ３４４では、制御手段９は、消毒液噴射時間が設定した消毒時間以上に経過したかを判断する。ステップ３４４で、消毒液噴射時間が消毒時間以上に経過していないと判断された場合、ステップ３３８に戻る。
【００４５】
ステップ３４４で、消毒液噴射時間が、消毒時間以上に経過したと判断された場合、消毒液の噴射を停止する（ステップ３４５）。
そして、制御手段９は、洗剤液洗浄、すすぎ洗浄、消毒液洗浄を完了したことを示す洗浄完了データを、ＩＤ番号に対応させて第２のメモリ１１に書き込み、制御を停止する（ステップ３４６）。
【００４６】
この発明によれば、個人認証つき手指洗浄システムの利用者の指紋データを生体情報取得手段３で取得できる。そして個人認証つき手指洗浄システムの利用者のそれぞれに対応したＩＤ番号と関連付けさせた指紋データ（認証比較情報）を、予め第１のメモリ１０に登録させることができる。さらに制御手段９は、予め第１のメモリ１０にデータベース化されて複数登録されている認証比較情報と生体情報取得手段３で取得される任意の個人の指紋データとを照合し、合致する指紋データを検知することによって個人を認証することができる。
【００４７】
また、制御手段９は、カウンタ１２、第１のセンサ６ａ〜第３のセンサ６ｃの情報を監視することによって、認証された個人の手指洗浄が洗浄器の洗浄条件に対して完全に遂行されたのか不完全であったのかの判断を行うことができる。
さらに、制御手段９は、認証された個人のＩＤ番号に関連付けして、手指洗浄が完全に遂行されたのか不完全であったのかの履歴データを第２のメモリ１１に保存できる。
個人認証つき手指洗浄システムの利用者全員に対して、ＩＤ番号に関連付けされた手指洗浄の遂行履歴データを取得でき、必要に応じて手指洗浄の遂行履歴データの確認を行うことが可能となる。
また、設定登録手段４を設けることによって洗浄器１の洗浄条件の登録、変更を任意に行うことができる。
【００４８】
なお、上記実施の形態では、生体情報取得手段３で、指紋を取得するものとしたが、指紋を取得することに限定されるものではなく、声紋、顔型、虹彩、静脈など他の生体情報を取得してもよい。
また、洗剤液洗浄、すすぎ洗浄、消毒液洗浄の３つの洗浄過程を例にあげて説明したが、３つの過程を設けるものに限定されるものではなく、１つの洗浄過程や、さらに多くの洗浄過程を設けてもこの発明を適用できる。
また、ステップ３０７、ステップ３２０、ステップ３３３では、スピーカ８のアナウンスによって作業者に作業を促すものとしたが、例えば、作業者が、洗剤液、水、消毒液の順に洗浄すること、また、洗剤液、水、消毒液の噴射が終了したら次のステップに移ることを周知徹底させていれば特にスピーカ８を設ける必要はない。
【図面の簡単な説明】
【００４９】
【図１】この発明に係る個人認証つき手指洗浄システムの構成を示す説明図である。
【図２】この発明に係る個人認証つき手指洗浄システムにおいて、利用者のそれぞれに割り振られたＩＤ番号に関連付けさせて指紋データを登録する動作を説明するためのフロー図である。
【図３】この発明に係る個人認証つき手指洗浄システムの洗浄器の洗浄条件を設定する動作を説明するためのフロー図である。
【図４】この発明に係る個人認証つき手指洗浄システムにおいて、作業者が行う手指洗浄の動作と、手指洗浄の遂行履歴データの取得方法を説明するためのフロー図である。
【図５】この発明に係る個人認証つき手指洗浄システムにおいて、作業者が行う手指洗浄の動作と、手指洗浄の遂行履歴データの取得方法を説明するためのフロー図である。
【図６】この発明に係る個人認証つき手指洗浄システムにおいて、作業者が行う手指洗浄の動作と、手指洗浄の遂行履歴データの取得方法を説明するためのフロー図である。
【符号の説明】
【００５０】
２  制御装置本体部、３  生体情報取得手段、４  設定登録手段、５ａ  洗剤液噴射手段（液噴射手段）、５ｂ  水噴射手段（液噴射手段）、５ｃ  消毒液噴射手段（液噴射手段）、６ａ  第１のセンサ（センサ）、６ｂ  第２のセンサ（センサ）、６ｃ  第３のセンサ（センサ）、７ａ  洗剤液噴射口（液噴射口）、７ｂ  水噴射口（液噴射口）、７ｃ  消毒液噴射口（液噴射口）、９  制御手段、１０  第１のメモリ（事前情報記録手段）、１１  第２のメモリ（履歴記録手段）、１２  カウンタ。
【図１】
2007115029.tif 000003
【図２】
2007115029.tif 000004
【図３】
2007115029.tif 000005
【図４】
2007115029.tif 000006
【図５】
2007115029.tif 000007
【図６】
2007115029.tif 000008